【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
商品の注文を利用者端末からネットワークを介して受け付ける注文受付装置であって、
商品についてクーポン番号が登録されているか否かをデータベースを参照した結果に基づいて判定する第１の判定手段と、
前記商品について前記クーポン番号が登録されていると判定された場合に、クーポン番号入力領域を含む画像を前記利用者端末に表示するための第１の表示用データを生成する第１の生成手段と、
前記商品について前記クーポン番号が登録されていないと判定された場合に、クーポン番号入力領域を含まない画像を前記利用者端末に表示するための第２の表示用データを生成する第２の生成手段と、
ログイン情報を誤入力回数または誤入力時刻と対応づけて記憶するログイン情報記憶手段と、
ログイン情報を前記利用者端末から受信するログイン情報受信手段と、
前記受信されたログイン情報に基づき、前記利用者端末を認証する認証手段と、
前記利用者端末が認証された場合に、前記第１の表示用データを前記利用者端末へ送信する第１の送信手段と、
前記第１の表示用データによって前記利用者端末に表示されたクーポン番号入力領域に入力された入力番号を、前記利用者端末から受信する入力番号受信手段と、
前記入力番号が前記クーポン番号として正当であるかどうか判定する第２の判定手段と、
前記入力番号が前記クーポン番号として正当でないと判定されれば、前記ログイン情報と対応づけて記憶された誤入力回数または誤入力時刻を更新する更新手段と、
前記更新された誤入力回数または誤入力時刻に基づき、前第２の表示用データを前記利用者端末へ送信する第２の送信手段と、
を備えたことを特徴とする注文受付装置。
【請求項２】
前記第２の送信手段は、前記誤入力回数が予め定められた回数より大きいか、または前記誤入力時刻からの経過時間が予め定められた時間内であれば、前記第２表示用データを送信することを特徴とする請求項１に記載の注文受付装置。
【請求項３】
前記更新手段は、前記入力番号が前記クーポン番号として正当であると判定された場合、前記誤入力回数および前記誤入力時刻をリセットするよう更新することを特徴とする請求項１または２に記載の注文受付装置。
【請求項４】
前記第１の生成手段は、前記クーポン番号入力領域を表示するための情報を前記第２の表示用データに対して付加することにより前記第１の表示用データを生成することを特徴とする請求項１、２または３に記載の注文受付装置。
【請求項５】
前記入力番号が前記クーポン番号として正当であると判定された場合に、データベースから読み出された前記商品の単価データおよび前記クーポン番号と対応づけて記憶された割引額に基づいて金額を算出し、前記金額を表示する金額表示手段をさらに備えたことを特徴とする請求項１乃至４の何れか１項に記載の注文受付装置。
【請求項６】
商品の注文を利用者端末からネットワークを介して受け付ける注文受付装置の制御方法であって、
商品についてクーポン番号が登録されているか否かをデータベースを参照した結果に基づいて判定する工程と、
前記商品について前記クーポン番号が登録されていると判定された場合に、クーポン番号入力領域を含む画像を前記利用者端末に表示するための第１の表示用データを生成する工程と、
前記商品について前記クーポン番号が登録されていないと判定された場合に、クーポン番号入力領域を含まない画像を前記利用者端末に表示するための第２の表示用データを生成する工程と、ログイン情報を誤入力回数または誤入力時刻と対応づけて記憶する工程と、
ログイン情報を前記利用者端末から受信する工程と、
前記受信されたログイン情報に基づき、前記利用者端末を認証する工程と、
前記利用者端末が認証された場合に、前記第１の表示用データを前記利用者端末へ送信する工程と、
前記第１の表示用データによって前記利用者端末に表示されたクーポン番号入力領域に入力された入力番号を、前記利用者端末から受信する工程と、
前記入力番号が前記クーポン番号として正当であるかどうか判定する工程と、
前記入力番号が前記クーポン番号として正当でないと判定されれば、前記ログイン情報と対応づけて記憶された誤入力回数または誤入力時刻を更新する工程と、
前記更新された誤入力回数または誤入力時刻に基づき、前第２の表示用データを前記利用者端末へ送信する工程と、
を含むことを特徴とする注文受付装置の制御方法。
【請求項７】
商品についてクーポン番号が登録されているか否かをデータベースを参照した結果に基づいて判定する工程と、
前記商品について前記クーポン番号が登録されていると判定された場合に、クーポン番号入力領域を含む画像を前記利用者端末に表示するための第１の表示用データを生成する工程と、
前記商品について前記クーポン番号が登録されていないと判定された場合に、クーポン番号入力領域を含まない画像を前記利用者端末に表示するための第２の表示用データを生成する工程と、
ログイン情報を誤入力回数または誤入力時刻と対応づけて記憶する工程と、
ログイン情報を前記利用者端末から受信する工程と、
前記受信されたログイン情報に基づき、前記利用者端末を認証する工程と、
前記利用者端末が認証された場合に、前記第１の表示用データを前記利用者端末へ送信する工程と、
前記第１の表示用データによって前記利用者端末に表示されたクーポン番号入力領域に入力された入力番号を、前記利用者端末から受信する工程と、
前記入力番号が前記クーポン番号として正当であるかどうか判定する工程と、
前記入力番号が前記クーポン番号として正当でないと判定されれば、前記ログイン情報と対応づけて記憶された誤入力回数または誤入力時刻を更新する工程と、
前記更新された誤入力回数または誤入力時刻に基づき、前第２の表示用データを前記利用者端末へ送信する工程と、
をコンピュータに実行させることを特徴とするプログラム。
【手続補正２】
【補正対象書類名】明細書
【補正対象項目名】発明の名称
【補正方法】変更
【補正の内容】
【発明の名称】注文受付装置及びその制御方法
【手続補正３】
【補正対象書類名】明細書
【補正対象項目名】０００９
【補正方法】変更
【補正の内容】
【０００９】
上記目的を達成するため、本発明にあっては、
商品の注文を利用者端末からネットワークを介して受け付ける注文受付装置であって、
商品についてクーポン番号が登録されているか否かをデータベースを参照した結果に基づいて判定する第１の判定手段と、
前記商品について前記クーポン番号が登録されていると判定された場合に、クーポン番号入力領域を含む画像を前記利用者端末に表示するための第１の表示用データを生成する第１の生成手段と、
前記商品について前記クーポン番号が登録されていないと判定された場合に、クーポン番号入力領域を含まない画像を前記利用者端末に表示するための第２の表示用データを生成する第２の生成手段と、
ログイン情報を誤入力回数または誤入力時刻と対応づけて記憶するログイン情報記憶手段と、
ログイン情報を前記利用者端末から受信するログイン情報受信手段と、
前記受信されたログイン情報に基づき、前記利用者端末を認証する認証手段と、
前記利用者端末が認証された場合に、前記第１の表示用データを前記利用者端末へ送信する第１の送信手段と、
前記第１の表示用データによって前記利用者端末に表示されたクーポン番号入力領域に入力された入力番号を、前記利用者端末から受信する入力番号受信手段と、
前記入力番号が前記クーポン番号として正当であるかどうか判定する第２の判定手段と、
前記入力番号が前記クーポン番号として正当でないと判定されれば、前記ログイン情報と対応づけて記憶された誤入力回数または誤入力時刻を更新する更新手段と、
前記更新された誤入力回数または誤入力時刻に基づき、前第２の表示用データを前記利用者端末へ送信する第２の送信手段と、
を備えたことを特徴とする。
【手続補正４】
【補正対象書類名】明細書
【補正対象項目名】００１０
【補正方法】変更
【補正の内容】
【００１０】
上記目的を達成するため、本発明に係る方法にあっては、
商品の注文を利用者端末からネットワークを介して受け付ける注文受付装置の制御方法であって、
商品についてクーポン番号が登録されているか否かをデータベースを参照した結果に基づいて判定する工程と、
前記商品について前記クーポン番号が登録されていると判定された場合に、クーポン番号入力領域を含む画像を前記利用者端末に表示するための第１の表示用データを生成する工程と、
前記商品について前記クーポン番号が登録されていないと判定された場合に、クーポン番号入力領域を含まない画像を前記利用者端末に表示するための第２の表示用データを生成する工程と、
ログイン情報を誤入力回数または誤入力時刻と対応づけて記憶する工程と、
ログイン情報を前記利用者端末から受信する工程と、
前記受信されたログイン情報に基づき、前記利用者端末を認証する工程と、
前記利用者端末が認証された場合に、前記第１の表示用データを前記利用者端末へ送信する工程と、
前記第１の表示用データによって前記利用者端末に表示されたクーポン番号入力領域に入力された入力番号を、前記利用者端末から受信する工程と、
前記入力番号が前記クーポン番号として正当であるかどうか判定する工程と、
前記入力番号が前記クーポン番号として正当でないと判定されれば、前記ログイン情報と対応づけて記憶された誤入力回数または誤入力時刻を更新する工程と、
前記更新された誤入力回数または誤入力時刻に基づき、前第２の表示用データを前記利用者端末へ送信する工程と、
を含むことを特徴とする。
【手続補正５】
【補正対象書類名】明細書
【補正対象項目名】００１１
【補正方法】変更
【補正の内容】
【００１１】
上記目的を達成するため、本発明に係るプログラムにあっては、
商品についてクーポン番号が登録されているか否かをデータベースを参照した結果に基づいて判定する工程と、
前記商品について前記クーポン番号が登録されていると判定された場合に、クーポン番号入力領域を含む画像を前記利用者端末に表示するための第１の表示用データを生成する工程と、
前記商品について前記クーポン番号が登録されていないと判定された場合に、クーポン番号入力領域を含まない画像を前記利用者端末に表示するための第２の表示用データを生成する工程と、
ログイン情報を誤入力回数または誤入力時刻と対応づけて記憶する工程と、
ログイン情報を前記利用者端末から受信する工程と、
前記受信されたログイン情報に基づき、前記利用者端末を認証する工程と、
前記利用者端末が認証された場合に、前記第１の表示用データを前記利用者端末へ送信する工程と、
前記第１の表示用データによって前記利用者端末に表示されたクーポン番号入力領域に入力された入力番号を、前記利用者端末から受信する工程と、
前記入力番号が前記クーポン番号として正当であるかどうか判定する工程と、
前記入力番号が前記クーポン番号として正当でないと判定されれば、前記ログイン情報と対応づけて記憶された誤入力回数または誤入力時刻を更新する工程と、
前記更新された誤入力回数または誤入力時刻に基づき、前第２の表示用データを前記利用者端末へ送信する工程と、
をコンピュータに実行させることを特徴とする。
【手続補正６】
【補正対象書類名】明細書
【補正対象項目名】００１２
【補正方法】削除
【補正の内容】